(57)【要約】【課題】過大な張力などが加えられた際にも、ジャックからプラグが抜けることを抑えることができるコネクタを提供する。【解決手段】コネクタ２は、略丸棒状の電極部１０を有するプラグ３と、このプラグ３を挿抜自在に保持するジャック４とから構成されている。電極部１０は、スリーブ１２とチップ１３との２つの電極を有している。ジャック４には、チップ用リーフスプリング２１が設けられている。チップ用リーフスプリング２１は、ジャック４にプラグ３が挿入された際に、先端をチップ１３に押し付けて、チップ１３との導通を得る。ジャック４は、チップ用リーフスプリング２１の押し付けによって、挿入されたプラグ３を傾けて保持する。この際、プラグ３の外側面に形成された段差１２ｃと、ジャック４の内側面に形成された段差２０ｃとが係合する。【選択図】図４
2007149499.tif 000002
【特許請求の範囲】
【請求項１】
略丸棒状の電極部を有するプラグと、前記電極部を挿抜自在に保持するための挿入穴が形成されたジャックとからなるコネクタにおいて、
前記ジャックに、前記挿入穴に挿入された前記電極部を一方向に押し付ける弾性部材を設け、
この弾性部材による押し付けに応じて、前記電極部の外側面と前記挿入穴の内側面との一方に設けられた凸部と、前記電極部の外側面と前記挿入穴の内側面との他方に設けられた凹部とを係合させることを特徴とするコネクタ。
【請求項２】
前記電極部は、先端側に形成された第１外径部と、この第１外径部よりも後端側に前記第１外径部よりも小さな外径で形成された第２外径部とを有し、前記第１外径部と前記第２外径部との間に生じる段差を前記凸部とするとともに、
前記挿入穴は、前記電極部の入口側に形成された第１内径部と、この第１内径部よりも奥側に前記第１内径部よりも大きな内径で形成された第２内径部とを有し、前記第１内径部と前記第２内径部との間に生じる段差を前記凹部とすることを特徴とする請求項１記載のコネクタ。
【請求項３】
前記電極部は、前記段差よりも後端側に、前記電極部の中心軸と偏芯し、前記中心軸回りの回転に応じて、前記凸部と前記凹部とが係合した状態と、この係合が解除された状態とを切り替える円形カム状の係合解除部材を有することを特徴とする請求項２記載のコネクタ。
【請求項４】
前記弾性部材は、導電性を有しており、前記電極部を一方向に押し付けるとともに、前記電極部との導通を得ることを特徴とする請求項１から３のいずれか１項に記載のコネクタ。
【請求項５】
前記電極部は、少なくとも、先端に形成されたチップ電極と、絶縁部材を介して前記チップ電極に取り付けられるスリーブ電極との２つの電極を有し、
前記第１外径部と前記第２外径部とが、前記スリーブ電極に形成されていることを特徴とする請求項２から４のいずれか１項に記載のコネクタ。
【請求項６】
前記挿入穴は、貫通して形成されるとともに、その長さが前記電極部よりも短くされており、
前記ジャックは、前記弾性部材が前記電極部を押し付けた際に、前記プラグを斜めに傾けて前記凸部と前記凹部とを係合させることを特徴とする請求項１から５のいずれか１項に記載のコネクタ。
【請求項７】
略丸棒状の電極部を有し、この電極部を挿抜自在に保持するための挿入穴と、この挿入穴に挿入された前記電極部を一方向に押し付ける弾性部材とが設けられたジャックに接続されるプラグにおいて、
前記弾性部材による押し付けに応じて、前記挿入穴の内側面に設けられた凸部、又は凹部と係合する係合部を、前記電極部の外側面に設けたことを特徴とするプラグ。
【請求項８】
略丸棒状の電極部を挿抜自在に保持するための挿入穴を有し、この挿入穴を介して前記電極部が設けられたプラグと接続されるジャックにおいて、
前記挿入穴に挿入された前記電極部を一方向に押し付ける弾性部材を設けるとともに、
この弾性部材による押し付けに応じて、前記電極部の外側面に設けられた凸部、又は凹部と係合する係合部を前記挿入穴の内側面に設けたことを特徴とするジャック。
【発明の詳細な説明】
【技術分野】
【０００１】
本発明は、略丸棒状の電極部を有するプラグと、前記電極部を挿抜自在に保持するための挿入穴が形成されたジャックとからなるコネクタに関する。
【背景技術】
【０００２】
携帯型のオーディオプレイヤーにイヤフォンを接続したり、エレキギターなどの電子楽器をアンプリファイアに接続するなど、ケーブルを介して各機器を接続する際には、略丸棒状の電極部を有するフォーンプラグ（単頭プラグ）と、このフォーンプラグを挿抜自在に保持するジャックとからなるコネクタ（例えば、特許文献１参照）が、一般に広く用いられている。このようなコネクタでは、通常、ケーブルの先端に取り付けられたフォーンプラグを、電子機器に埋め込まれるようにして取り付けられたジャックに差し込むことによって、ケーブルと電子機器とが機械的かつ電気的に接続される。
【特許文献１】特願２０００−２７８６２号公報
【発明の開示】
【発明が解決しようとする課題】
【０００３】
特許文献１記載のコネクタでは、先端側ほど大径化する円錐台形状のテーパ面をフォーンプラグに設け、このテーパ面にジャックに設けられた弾性部材を押し付けることによって、ジャックからのフォーンプラグの抜けを防止するようにしている。しかしながら、ケーブルに何かが引っ掛かるなどして不意に強い張力が加えられてしまった場合、弾性部材による押し付け力だけでフォーンプラグを保持することは難しく、ジャックからフォーンプラグが抜けてしまうことがあった。
【０００４】
本発明は、上記課題を鑑みてなされたものであって、過大な張力が加えられた際にも、ジャックからプラグが抜けることを抑えることができるコネクタ及びプラグ並びにジャックを提供することを目的とする。
【課題を解決するための手段】
【０００５】
上記課題を達成するため、本発明のコネクタは、略丸棒状の電極部を有するプラグと、前記電極部を挿抜自在に保持するための挿入穴が形成されたジャックとからなり、前記ジャックに、前記挿入穴に挿入された前記電極部を一方向に押し付ける弾性部材を設け、この弾性部材による押し付けに応じて、前記電極部の外側面と前記挿入穴の内側面との一方に設けられた凸部と、前記電極部の外側面と前記挿入穴の内側面との他方に設けられた凹部とを係合させることを特徴とする。
【０００６】
なお、前記電極部に、先端側に形成された第１外径部と、この第１外径部よりも後端側に前記第１外径部よりも小さな外径で形成された第２外径部とを形成し、前記第１外径部と前記第２外径部との間に生じる段差を前記凸部とするとともに、前記挿入穴に、前記電極部の入口側に形成された第１内径部と、この第１内径部よりも奥側に前記第１内径部よりも大きな内径で形成された第２内径部とを形成し、前記第１内径部と前記第２内径部との間に生じる段差を前記凹部とすることが好ましい。
【０００７】
また、前記電極部は、前記段差よりも後端側に、前記電極部の中心軸と偏芯し、前記中心軸回りの回転に応じて、前記凸部と前記凹部とが係合した状態と、この係合が解除された状態とを切り替える円形カム状の係合解除部材を有することが好ましい。
【０００８】
さらに、前記弾性部材は、導電性を有しており、前記電極部を一方向に押し付けるとともに、前記電極部との導通を得ることが好ましい。
【０００９】
また、前記電極部は、少なくとも、先端に形成されたチップ電極と、絶縁部材を介して前記チップ電極に取り付けられるスリーブ電極との２つの電極を有し、前記第１外径部と前記第２外径部とは、前記スリーブ電極に形成されていることが好ましい。
【００１０】
さらに、前記挿入穴は、貫通して形成されるとともに、その長さが前記電極部よりも短くされ、前記ジャックは、前記弾性部材が前記電極部を押し付けた際に、前記プラグを斜めに傾けて前記凸部と前記凹部とを係合させることが好ましい。
【００１１】
なお、略丸棒状の電極部を有し、この電極部を挿抜自在に保持するための挿入穴と、この挿入穴に挿入された前記電極部を一方向に押し付ける弾性部材とが設けられたジャックに接続される本発明のプラグは、前記弾性部材による押し付けに応じて、前記挿入穴の内側面に設けられた凸部、又は凹部と係合する係合部を、前記電極部の外側面に設けたことを特徴とする。
【００１２】
また、略丸棒状の電極部を挿抜自在に保持するための挿入穴を有し、この挿入穴を介して前記電極部が設けられたプラグと接続される本発明のジャックは、前記挿入穴に挿入された前記電極部を一方向に押し付ける弾性部材を設けるとともに、この弾性部材による押し付けに応じて、前記電極部の外側面に設けられた凸部、又は凹部と係合する係合部を前記挿入穴の内側面に設けたことを特徴とする。
【発明の効果】
【００１３】
本発明のコネクタでは、ジャックに設けられた弾性部材が、挿入穴に挿入された電極部を押し付ける際に、電極部の外側面と挿入穴の内側面との一方に設けられた凸部と、他方に設けられた凹部とを係合させるようにした。これらの係合によって、プラグの引き抜き方向に抗する機械的な係りが生じるので、ケーブルなどを介して過大な張力が加えられた際などにも、ジャックからプラグが抜けることを抑えることができる。
【発明を実施するための最良の形態】
【００１４】
図１は、本発明を適用したコネクタ２の利用形態の一例を示す斜視図である。コネクタ２は、ケーブル５の先端に取り付けられたプラグ３と、このプラグ３を挿抜自在に保持するジャック４とから構成されている。ジャック４は、電子機器６の内部に取り付けられており、電子機器６のケースに空けられた開口６ａから挿入穴４ａを露呈させている。このコネクタ２は、ジャック４の挿入穴４ａにプラグ３を挿入することによって、ケーブル５と電子機器６とを機械的かつ電気的に接続する。
【００１５】
図示を省略したケーブル５の他端には、例えば、他の電子機器やスピーカ、さらにはヘッドフォン、マイクロフォンなどが取り付けられている。ケーブル５は、これらの機器と電子機器６とをコネクタ２を介して接続し、各機器間での電気信号の送受を可能にする。なお、ケーブル５の他端は、機器に直接接続されているものでなくてもよい。例えば、他端にプラグ３などを設け、電子機器６と同様にコネクタを介して接続するようにしてもよいし、他端にジャック４などを設け、中継ケーブルとして機能させるようにしてもよい。
【００１６】
電子機器６は、電気信号（例えば、音声信号や映像信号）の送受を要するものであれば如何なる機器でもよい。この電子機器６としては、例えば、音楽プレイヤー、テレビなどといった周知のＡＶ機器、さらには電子楽器やパソコン、家庭用ゲーム機などがあげられる。
【００１７】
図２は、プラグ３の構成を概略的に示す平面図である。プラグ３は、いわゆる２極型のモノラルフォーンプラグであって、略丸棒状に形成された電極部１０と、この電極部１０とケーブル５との結線部分を保護するハウジング１１とから構成されている。電極部１０は、一端がハウジング１１に取り付けられるスリーブ１２と、このスリーブ１２の他端に設けられたチップ１３とを有している。スリーブ１２とチップ１３とは、導電性のある材料で成形されており、それぞれがプラグ３の１極を担っている。また、スリーブ１２とチップ１３との間には、各極の導通を防止する絶縁部材１４が設けられている。
【００１８】
スリーブ１２は、絶縁部材１４と接するように先端側に形成された第１外径部１２ａと、この第１外径部１２ａよりも後端側に第１外径部１２ａよりも小さな外径で形成された第２外径部１２ｂとを有しており、各外径部１２ａ、１２ｂの接続界面には、テーパ状の段差１２ｃが形成されている。また、チップ１３の側面には、曲面状に凹まされた括れ部１３ａが形成されている。この括れ部１３ａは、ジャック４に挿入された際に、ジャック４側の端子と係合して、電極部１０がジャック４から簡単に抜け落ちることを防止する。
【００１９】
ハウジング１１によって保護される電極部１０の端部には、ケーブル５を接続するための端子（図示は省略）が、スリーブ１２とチップ１３とのそれぞれに対応して設けられている。ケーブル５は、少なくとも２本の導線を有しており、各端子のそれぞれに、対応した導線が結線される。一般に、チップ１３側の端子には、各機器が信号を伝達するための信号線が結線され、スリーブ１２側の端子には、各機器のグランドレベルを合わせるためのグランド線が結線される。
【００２０】
なお、ケーブル５には、例えば、同軸ケーブルや多芯ケーブルなどを用いればよい。これらケーブル５の種類や各端子に結線される導線の用途（いわゆる、ピンアサインメント）などは、接続される各機器の種類や機能などに応じて適宜決定すればよい。また、各端子と各導線との結線方法は、はんだ付け、かしめ、ねじ止めなどといった周知の方法によればよい。
【００２１】
略円筒形状に成形されたハウジング１１は、各端子と各導線との結線部分を覆うことによって、これらの結線部分に掛かる負荷を抑え、各端子と各導線との断線を防止する。また、ハウジング１１は、プラグ３をジャック４に挿抜する際にグリップとして機能し、挿抜時の操作性を向上させる。なお、ハウジング１１は、電極部１０に対して着脱自在なものでもよいし、一度取り付けた後、取り外しが利かなくなるものでもよい。
【００２２】
図３は、ジャック４の構成を概略的に示す断面図である。ジャック４は、ジャック本体２０と、チップ用リーフスプリング（弾性部材）２１と、スリーブ用リーフスプリング２２と、キャップ２３とによって構成されている。ジャック本体２０は、第１外径部１２ａよりも僅かに大きい程度の内径を有する略円筒形状をなしており、前述の挿入穴４ａを形成している。これにより、ジャック本体２０は、挿入された電極部１０と嵌合して、プラグ３を機械的に保持する。
【００２３】
ジャック本体２０の内側面には、プラグ３の挿入方向に対して入口側に位置する第１内径部２０ａと、この第１内径部２０ａよりも奥側に位置し、一回り大きな内径を有する第２内径部２０ｂとが形成されている。第１内径部２０ａの長さは、第２外径部１２ｂの長さとほぼ等しいか、僅かに長い程度である。また、各内径部２０ａ、２０ｂの接続界面には、テーパ状の段差２０ｃが形成されている。
【００２４】
一方、ジャック本体２０の外側面には、円板状に突出したフランジ部２０ｄが形成されている。このフランジ部２０ｄは、例えば、電子機器６にジャック４を取り付ける際などに利用される。なお、ジャック４の電子機器６への取り付けは、例えば、ねじ止めや接着など、周知の方法を用いればよい。
【００２５】
チップ用リーフスプリング２１は、挿入されたプラグ３のチップ１３と接触して、チップ１３との導通を得る接触端子であって、例えば、銅やステンレスなどといった、弾性と導電性とを有する材料で成形されている。チップ用リーフスプリング２１は、ジャック本体２０の外径に合わせてリング状に形成された取付部（図示は省略）を有し、この取付部を出口側から挿入することによってジャック本体２０に取り付けられる。また、チップ用リーフスプリング２１は、略９０°折り曲げられた第１折り曲げ部２１ａと、略Ｕ字状に折り曲げられた第２折り曲げ部２１ｂとを有しており、先端をジャック本体２０の筒内に侵入させている。これにより、チップ用リーフスプリング２１は、プラグ３が挿入された際に、先端を押し付けるようにして図中下方向にプラグ３を付勢し、チップ１３との接触状態が保たれるようにする。
【００２６】
また、チップ１３と接触するチップ用リーフスプリング２１の先端には、プラグ３に向かうように略くの字状に折り曲げられた屈曲部２１ｃが形成されている。この屈曲部２１ｃは、チップ１３と接触する際にチップ１３に形成された括れ部１３ａと係合して、プラグ３の抜けを防止する。さらに、チップ用リーフスプリング２１には、電子機器６と配線するための切片２１ｄが設けられている。これにより、切片２１ｄに接続された電子機器６と、電極部１０の端子に接続されたケーブル５とが、チップ１３とチップ用リーフスプリング２１との接触によって電気的に接続される。
【００２７】
スリーブ用リーフスプリング２２は、チップ用リーフスプリング２１とほぼ同様に構成された接触端子であって、挿入されたプラグ３のスリーブ１２と接触して、スリーブ１２との導通を得る。また、このスリーブ用リーフスプリング２２は、チップ用リーフスプリング２１に対して約９０°回転して取り付けられており、接触面２２ａを側方からスリーブ１２に押し付ける。なお、チップ用リーフスプリング２１とスリーブ用リーフスプリング２２との位置関係は、図示に限らず、両者が導通する危険のない範囲で任意に設定すればよい。また、スリーブ用リーフスプリング２２にも、図示を省略した切片が設けられており、電子機器６と配線される。
【００２８】
略リング状に形成されたキャップ２３は、出口側からジャック本体２０に取り付けられ、フランジ部２０ｄとともに各リーフスプリング２１、２２を挟持固定する。なお、キャップ２３のジャック本体２０への取り付けは、例えば、ねじ止めや嵌め込み（爪係止）など、周知の方法を用いればよい。
【００２９】
次に、図４に示す説明図を参照しながら、本発明の作用について説明する。図４に示すように、ハウジング１１がジャック本体２０に当接するまで電極部１０を挿入穴４ａに挿入すると、チップ１３とチップ用リーフスプリング２１とが接触するとともに、スリーブ１２とスリーブ用リーフスプリング２２とが接触し、ケーブル５に含まれる２本の導線が、それぞれ電子機器６に接続される。
【００３０】
チップ用リーフスプリング２１は、チップ１３と接触した際に弾性変形して、チップ１３を図中下方向に押し付けるとともに、屈曲部２１ｃを括れ部１３ａに係合させてプラグ３がジャック４から抜けることを防止する。この際、ジャック本体２０の第１内径部２０ａは、スリーブ１２の第１外径部１２ａに対応して内径が形成されており、第２外径部１２ｂに対しては過大となるため、チップ用リーフスプリング２１の押し付けに応じて、図４に示すように、プラグ３が傾いて保持されるようになる。
【００３１】
また、第１内径部２０ａの長さが、第２外径部１２ｂの長さとほぼ等しくなるように合わせられているため、プラグ３が傾いた際に、その傾き方向においてプラグ３に形成された段差１２ｃとジャック４に形成された段差２０ｃとが係合し、プラグ３の引き抜き方向に抗した機械的な係りが生じる。すなわち、プラグ３に形成された段差１２ｃが請求項記載の凸部に対応し、ジャック４に形成された段差２０ｃが請求項記載の凹部に対応している。
【００３２】
このように、本例のコネクタ２によれば、屈曲部２１ｃと括れ部１３ａとが係合し、チップ用リーフスプリング２１の押し付け力によってプラグ３の抜けが防止されるとともに、各段差１２ｃ、２０ｃによる機械的な係合によってもプラグ３の抜けが防止されるようになるので、ケーブル５を介して過大な張力が加えられた際などにも、ジャック４からプラグ３が抜けることを抑えることができる。また、複雑な機構や構造などを必要とするものではないので、簡単かつ安価に発明を実施することができる。
【００３３】
なお、プラグ３の傾き角Ｄは、意図的にプラグ３を引き抜く際の操作性などを考慮すると、２〜３°程度であることが好ましい。また、チップ用リーフスプリング２１のみならず、スリーブ用リーフスプリング２２の押し付け力もプラグ３の傾きに影響を与える。この際、各リーフスプリング２１、２２の押し付け力の合力によって斜めにプラグ３を傾けるようにしてもよいし、スリーブ用リーフスプリング２２の押し付け力に対してチップ用リーフスプリング２１の押し付け力を十分に大きくし、スリーブ用リーフスプリング２２の影響を受けないようにしてもよい。もちろん、上記とは反対にスリーブ用リーフスプリング２２のみでプラグ３を傾かせるようにしてもよい。
【００３４】
なお、上記実施形態では、各段差１２ｃ、２０ｃを、凸部と凹部にしているが、凸部と凹部は、これに限ることなく、例えば、突起状に形成されたものなどを凸部とし、溝状に形成されたものなどを凹部とするようにしてもよい。また、上記実施形態では、プラグ３に凸部を設け、ジャック４に凹部を設けるようにしているが、凸部や凹部が突起状や溝状である場合には、上記と反対に、プラグ３に凹部を設け、ジャック４に凸部を設けるようにしてもよい。
【００３５】
さらに、上記実施形態では、プラグ３を傾けて保持するようにしているが、これに限ることなく、例えば、プラグ３が平行移動するように押し付けて、凸部と凹部とを係合させるようにしてもよい。但し、本例のように傾けてプラグ３を保持することにより、プラグ３の本来の引き抜き方向と、ケーブル５を介して伝わる張力の方向とに差が生じるので、抜け防止の効果をより高めることができる。また、上記実施形態では、挿入穴４ａを貫通させるようにしているが、プラグ３を平行移動させる際などには、挿入穴を有底状の穴としてもよい。
【００３６】
図５は、プラグの他の実施形態を示す平面図である。図５に示すプラグ４０は、上記実施形態のプラグ３と同様に、略丸棒状に形成された電極部４１と、この電極部４１とケーブルとの結線部分を保護するハウジング４２とから構成されている。また、電極部４１は、プラグ４０の一方の極を担うチップ４５と、プラグ４０の他方の極を担うスリーブ４６と、これらの各極を絶縁する絶縁部材４７とを有している。チップ４５、絶縁部材４７、及びハウジング４２は、上記実施形態と同様の構成であり、チップ４５には、括れ部４５ａが形成されている。
【００３７】
スリーブ４６は、絶縁部材４７側から順に第１外径部５０と第２外径部５１と第３外径部５２と第４外径部５３との４つの部位に分けて形成されている。第２外径部５１は、第１外径部５０よりも一回り径が小さくされている。また、第１外径部５０の一端には、テーパ状の段差５０ａが形成されており、第１外径部５０と第２外径部５１とを滑らかに接続している。第３外径部５２は、第１外径部５０と第２外径部５１との中間程度の径に形成されるとともに、図中下方向において第１外径部５０と略面一となるように第２外径部５１と接続されている。つまり、第３外径部５２は、図６（ａ）に示すように、第１外径部５０や第２外径部５１などの中心軸に対して偏芯した状態で接続される。なお、図中Ｃ１は、第１外径部５０などの中心位置を示し、Ｃ２は、第３外径部５２の中心位置を示している。
【００３８】
第４外径部５３は、第３外径部５２とほぼ同程度の形成されるとともに、図中上方向において第１外径部５０と略面一となるように第３外径部５２と接続されている。つまり、第４外径部５３は、図６（ｂ）に示すように、第１外径部５０や第２外径部５１などに対して偏芯し、かつ第３外径部５２とは位相が１８０°ズレた状態で接続される。なお、図中Ｃ３は、第４外径部５３の中心位置を示している。
【００３９】
また、第４外径部５３に取り付けられるハウジング４２は、第１外径部５０などと中心軸が合わせられている。これにより、ハウジング４２を持ってプラグ４０を回転させた際に、第３外径部５２と第４外径部５３とが、回転軸から偏芯した状態で回転するようになる。なお、各外形部５０〜５３は、個別に成形された後、接着や嵌め込みなどによって接続されるものでもよいし、金属の削り加工などによって一体で成形されるものでもよい。
【００４０】
このように構成されたプラグ４０を、図７（ａ）に示すように、第３外径部５２が上方向に突出した状態でジャック４に挿入すると、上記実施形態のプラグ３と同様に、屈曲部２１ｃと括れ部４５ａとが係合するとともに、各段差２０ｃ、５０ａが係合してプラグ４０の抜けが防止される。一方、図７（ｂ）に示すように、ハウジング４２を掴んでプラグ４０を１８０°回転させ、第３外径部５２が下方向に突出した状態にすると、この第３外径部５２がジャック本体２０の内面下側に当接するとともに、第４外径部５３がジャック本体２０の内面上側に当接して、各段差２０ｃ、５０ａの係合を解除させる。すなわち、これら第３外径部５２と第４外径部５３とによって、請求項記載の係合解除部材が構成される。
【００４１】
チップ用リーフスプリング２１の押し付け力は、プラグの抜け防止を考慮すると、できるだけ強くされていることが好ましい。しかしながら、上記実施形態のプラグ３では、ジャック４から引き抜く際に、チップ用リーフスプリング２１の押し付け力に抗してプラグ３の傾きを戻し、各段差１２ｃ、２０ｃの係合を解除させなければならないため、チップ用リーフスプリング２１の押し付け力を過度に強くしてしまうと、プラグ３の引き抜きが困難になってしまうことが懸念される。
【００４２】
一方、本例のプラグ４０では、第３外径部５２を上向きにすることによって各段差２０ｃ、５０ａが係合するとともに、第３外径部５２を下向きにすることによって各段差２０ｃ、５０ａの係合を解除することができるので、チップ用リーフスプリング２１の押し付け力の強化と、抜き易さとの両立を図ることができる。この際、例えば、第３外径部５２の向きを示すマーキングをハウジング４２に施しておくなどして、ジャック４に挿入された状態でも第３外径部５２の向きが分かるようにしておくことが好ましい。
【００４３】
なお、上記各実施形態では、２極型のモノラルフォーンプラグを例に説明したが、本発明はこれに限ることなく、例えば、１極のみのプラグに適用してもよいし、チップとスリーブとの間に更に電極（いわゆる、リング）を設けることによって、３極型のステレオフォーンプラグに適用するようにしてもよい。さらには、映像信号も送れるようにした４極型のプラグに適用してもよいし、より多極のプラグに適用してもよい。
【００４４】
また、上記各実施形態では、弾性部材としてチップ用リーフスプリング２１を用い、電極部の押し付けと、電極部との導通とを両立させるようにしているが、これに限ることなく、押し付けと導通とを、それぞれ別の部材で行うようにしてもよい。
【図面の簡単な説明】
【００４５】
【図１】本発明を適用したコネクタの利用形態の一例を示す斜視図である。
【図２】プラグの構成を概略的に示す平面図である。
【図３】ジャックの構成を概略的に示す断面図である。
【図４】ジャックにプラグが挿入された状態を示す説明図である。
【図５】プラグに係合解除部材を設けた例を示す平面図である。
【図６】第３外径部と第４外径部とが偏芯した状態を示す説明図である。
【図７】各段差が係合した状態と係合が解除された状態とを示す説明図である。
【符号の説明】
【００４６】
２  コネクタ
３、４０  プラグ
４  ジャック
４ａ  挿入穴
１０、４１  電極部
１２、４６  スリーブ
１２ａ、５０  第１外径部
１２ｂ、５１  第２外径部
１２ｃ、５０ａ  段差（凸部、係合部）
１３  チップ
２０  ジャック本体
２０ａ  第１内径部
２０ｂ  第２内径部
２０ｃ  段差（凹部、係合部）
２１  チップ用リーフスプリング（弾性部材）
【図１】
2007149499.tif 000003
【図２】
2007149499.tif 000004
【図３】
2007149499.tif 000005
【図４】
2007149499.tif 000006
【図５】
2007149499.tif 000007
【図６】
2007149499.tif 000008
【図７】
2007149499.tif 000009